(57)【要約】【課題】角度によって色彩の変化するコレステリック液晶と、角度によって色彩の変化しない材料とを使用して、偽造防止機能を有するカラー画像を形成する技術を提供すること。【解決手段】カラー画像を多数の画素の集合から構成すると共に、有彩色の画素を２以上の領域に区分し、一部の領域がコレステリック液晶を含んで色彩可変性に構成し、他の領域を色彩不変性に構成する。そして、正面から見たとき両者が同一の有彩色を示すように構成する。例えば、レッドの画素は、レッドのコレステリック液晶を使用した第１領域Ｒと、マゼンタの顔料インキＭ及びイエローの顔料インキＹを使用した第２領域とで構成する。正面から見たとき、この画素はレッドに見えるが、角度を変化させると不自然な色彩に変化する。【選択図】図２
2016107487.tif 000002
【特許請求の範囲】
【請求項１】
基材上に、有彩色を含む複数の色彩で形成されたカラー画像を有しており、このカラー画像が多数の画素の集合から構成されている画像表示体において、
有彩色の前記画素が２以上の領域に区分されており、これら領域のうち一部の領域が、コレステリック液晶を含んで色彩可変性に構成され、他の領域が色彩不変性に構成されていると共に、特定の角度から見たとき、色彩可変性領域の色彩が色彩不変性領域と同一の有彩色を示すことを特徴とする画像表示体。
【請求項２】
前記カラー画像が黒色の画素を有しており、この黒色画素が色彩不変性領域から構成されていることを特徴とする請求項１に記載の画像表示体。
【請求項３】
前記色彩不変性領域のうち少なくとも一部の領域が、光吸収性インキを積層して構成されていることを特徴とする請求項１又は２に記載の画像表示体。
【請求項４】
前記カラー画像が白色の画素を有しており、この白色画素が色彩可変性領域から構成されていることを特徴とする請求項１〜３のいずれかに記載の画像表示体。
【請求項５】
前記色彩可変性領域が転写印刷によって形成されていることを特徴とする請求項１〜４のいずれかに記載の画像表示体。
【発明の詳細な説明】
【技術分野】
【０００１】
本発明はカラー画像を有する表示体に関する。このカラー画像は、角度によって色彩が変化するコレステリック液晶と、色彩の変化を伴わない着色材料とを使用して形成される。そして、見る角度によってこのカラー画像の色彩が変化するため、このような変化を生じない偽造品と区別することができる。本発明の画像表示体は、例えば、ＩＤカードやパスポートなどの身分証明用書類として利用できる。
【背景技術】
【０００２】
コレステリック液晶と着色インキとを使用して、偽造防止機能を発揮させた画像表示体は公知である（特許文献１）。この技術によれば、コレステリック液晶を使用して、見る角度によって色彩が変化するように形成された色彩可変性着色層の上に、パターン状に着色インキで印刷する。この着色インキ層と、色彩可変性着色層との色彩は、例えば法線方向から見たとき、同一の色彩である。このため、この画像を法線方向から見たときには、着色インキパターンを認知することができない。一方、角度を変化させて見ると、色彩可変性着色層の色彩が変化して、着色インキパターンとの間で高いコントラストを生じるから、この着色インキパターンを容易に観察できる。そして、このような変化を生じないものを偽造品と判定することができる。
【０００３】
しかしながら、この技術では、法線方向から見たときの色彩可変性着色層の色彩と着色インキ層の色彩とを同一にする必要があるため、色彩可変性着色層は全面一様な色彩に形成する必要がある。このため、この技術では、カラー画像を形成することができない。
【０００４】
一方、身分証明カードなどのＩＤカードやパスポートでは、所有者の顔写真をカラー画像として表示することが普通である。このようなカラーの顔写真を前述の技術によって形成することはできないから、その適用範囲が限られたものにならざるを得ないのである。
【先行技術文献】
【特許文献】
【０００５】
【特許文献１】特開２００３−３２６８２３号公報
【発明の概要】
【発明が解決しようとする課題】
【０００６】
本発明は以上のような技術的背景に基づいてなされたもので、角度によって色彩の変化するコレステリック液晶と、角度によって色彩の変化しない材料とを使用して、偽造防止機能を有するカラー画像を形成する技術を提供することを目的とするものである。
【課題を解決するための手段】
【０００７】
すなわち、請求項１に記載の発明は、基材上に、有彩色を含む複数の色彩で形成されたカラー画像を有しており、このカラー画像が多数の画素の集合から構成されている画像表示体において、
有彩色の前記画素が２以上の領域に区分されており、これら領域のうち一部の領域が、コレステリック液晶を含んで色彩可変性に構成され、他の領域が色彩不変性に構成されていると共に、特定の角度から見たとき、色彩可変性領域の色彩が色彩不変性領域と同一の有彩色を示すことを特徴とする画像表示体である。
【０００８】
次に、請求項２に記載の発明は、前記カラー画像が黒色の画素を有しており、この黒色画素が色彩不変性領域から構成されていることを特徴とする請求項１に記載の画像表示体
である。
【０００９】
また、請求項３に記載の発明は、前記色彩不変性領域のうち少なくとも一部の領域が、光吸収性インキを積層して構成されていることを特徴とする請求項１又は２に記載の画像表示体である。
【００１０】
また、請求項４に記載の発明は、前記カラー画像が白色の画素を有しており、この白色画素が色彩可変性領域から構成されていることを特徴とする請求項１〜３のいずれかに記載の画像表示体である。
【００１１】
また、請求項５に記載の発明は、前記色彩可変性領域が転写印刷によって形成されていることを特徴とする請求項１〜４のいずれかに記載の画像表示体である。
【発明の効果】
【００１２】
コレステリック液晶は螺旋状の分子構造を有する化合物である。このコレステリック液晶は、その螺旋ピッチと光の入射角とに応じて特定の波長の光を選択反射し、その他の光を透過する。このため、光吸収材料を下地として、この光吸収材料の上にコレステリック液晶を配置すると、コレステリック液晶を透過した光は光吸収材料に吸収されるから、選択反射された波長の光に着色して見える。一方、観察する角度を変えると、対応する入射角も変化するから、観察できる色彩も変化する。
【００１３】
本発明の画像表示体は、カラー画像を構成する画素を２つの領域に区分し、その一方の領域（第１領域）をコレステリック液晶を使用して形成し、他方の領域（第２領域）を色彩不変性の着色顔料で形成すると共に、第１領域を特定の角度（例えば、正面方向、すなわち、画像に対して法線方向）から見たときの色彩が、第２領域の色彩と同一となるように構成している。このため、その角度から見たときには、この画素はこれら第１領域の色彩と同一に見える。そこで、角度を変化させて観察すると、第１領域の色彩が変化するから、この画素は、第１領域の色彩と第２領域の色彩とが互いに重畳した色彩に変化する。例えば、肌の色を示すはずの顔写真が不自然な色彩に変化して見えることになる。そこで、このような変化を生じないものを偽造品と判定することが可能となるのである。
【図面の簡単な説明】
【００１４】
【図１】本発明の実施形態に係る画像表示体の説明用平面図である。
【図２】本発明の実施形態に係るレッドの画素の説明用断面図である。
【図３】本発明の実施形態に係るグリーンの画素の説明用断面図である。
【図４】本発明の実施形態に係るブルーの画素の説明用断面図である。
【図５】本発明の実施形態に係るイエローの画素の説明用断面図である。
【図６】本発明の実施形態に係るマゼンタの画素の説明用断面図である。
【図７】本発明の実施形態に係るシアンの画素の説明用断面図である。
【図８】本発明の実施形態に係る黒色の画素の説明用断面図である。
【図９】本発明の実施形態に係る白色の画素の説明用断面図である。
【図１０】第１領域を形成するための転写箔の説明用断面図である。
【図１１】第２領域を形成するための転写箔の説明用断面図である。
【発明を実施するための形態】
【００１５】
本発明は有彩色を含む複数の色彩で形成されたカラー画像を有する画像表示体である。カラー画像や画像表示体は任意のものでよいが、例えば、顔写真をカラー画像とし、このカラーの顔写真を有する身分証明カードを画像表示体とするとき、本発明の技術的意義を生かすことができる。このため、顔写真を含む身分証明カードを例として本発明を説明する。
【００１６】
図１はこのような身分証明カードの例を示す平面図で、カード表面には、所有者の氏名のほか、会社名や所属部署などが記載されている。また、図から分かるように、このカードには、顔を含む上半身のカラー写真が表示されている。このカラー写真は、多数の画素を配列して構成されたものである。
【００１７】
これら多数の画素は、少なくとも一部に有彩色の画素を有する必要がある。典型的には、レッドＲ、グリーンＧ、ブルーＢ、イエローＹ、マゼンタＭ、シアンＣの６種類の画素である。また、これら多数の画素の中には、黒色や白色の無彩色の画素を有することが望ましい。
【００１８】
有彩色の画素は、２つの領域に区分されている必要がある。すなわち、見る角度によって色彩が変化する第１領域と、見る角度を変えても色彩が変化しない第２領域である。第１領域は、光吸収層上にコレステリック液晶を含むインキを印刷して形成することができる。また、第２領域は、例えば、着色顔料又は着色染料を含む通常インキを印刷して形成することができる。
【００１９】
そして、これら第１領域の色彩は、特定角度から見たとき、例えば、カラー画像を正面から見たとき、第２領域の色彩と同じ色彩を有している必要がある。例えば、レッドＲの画素を構成する第１領域は、特定角度から見たとき、レッドの色彩を有しており、第２領域もレッドの色彩を有している。また、グリーンＧの画素を構成する第１領域は、特定角度から見たとき、グリーンの色彩を有しており、第２領域もレッドの色彩を有している。その他の色彩の画素でも同様である。
【００２０】
ところで、コレステリック液晶は、その分子構造に基づいて特定波長の光を反射することによって着色するものである。一方、レッドＲ、グリーンＧ、ブルーＢの三色は光の三原色である。このため、単一種類のコレステリック液晶を使用して表現することができる。また、これら三色は、イエローＹ、マゼンタＭ、シアンＣの三色の通常インキを組み合わせて表現することができる。
【００２１】
すなわち、まず、レッドＲの画素については、図２（ａ）の断面図に示すように、光吸収層（ａｂｓｏｒｂｅｎｔ）Ａの上に、前記特定角度の方向にレッドの光を反射するコレステリック液晶Ｒを含むインキを印刷することにより、第１領域を形成することができる。また、マゼンタの通常インキＭとイエローの通常インキＹとを並べて印刷することにより、第２領域を形成することができる。なお、図２（ｂ）に示すように、マゼンタの通常インキＭとイエローの通常インキＹとを積層して印刷することにより、第２領域を形成することも可能である。
【００２２】
また、グリーンＧの画素については、光吸収層Ａの上にグリーンの光を反射するコレステリック液晶を含むインキＧを印刷して第１領域を形成することができる。また、シアンの通常インキＣとイエローの通常インキＹとを並べて印刷したり（図３（ａ）参照）、これらを積層して印刷する（図３（ｂ）参照）ことにより、第２領域を形成することができる。
【００２３】
また、同様に、ブルーＢの画素については、光吸収層Ａの上にブルーの光を反射するコレステリック液晶を含むインキＢを印刷して第１領域を形成することができる。また、シアンの通常インキＣとマゼンタの通常インキＭとを並べて印刷したり（図４（ａ）参照）、これらを積層して印刷する（図４（ｂ）参照）ことにより、第２領域を形成することができる。
【００２４】
一方、イエローＹ、マゼンタＭ、シアンＣの三色は色の三原色と呼ばれるもので、このため、単一種類の通常インキを使用して表現できる。また、これら三色は、レッドＲ、グリーンＧ、ブルーＢの三色のコレステリック液晶入りのインキを組み合わせて表現できる。
【００２５】
すなわち、まず、イエローＹの画素については、光吸収層Ａの上にマゼンタの光を反射するコレステリック液晶を含むインキＭを印刷すると共に、これに並べて、グリーンの光を反射するコレステリック液晶を含むインキＧを印刷することによって、第１領域を形成することができる。また、イエローの通常インキＹを印刷することにより第２領域を形成することができる（図５参照）。
【００２６】
また、マゼンタＭの画素については、光吸収層Ａの上にブルーの光を反射するコレステリック液晶を含むインキＢを印刷すると共に、これに並べて、レッドの光を反射するコレステリック液晶を含むインキＲを印刷することによって、第１領域を形成することができる。また、マゼンタの通常インキＭを印刷することにより第２領域を形成することができる（図６参照）。
【００２７】
また、同様に、シアンＣの画素については、光吸収層Ａの上にグリーンの光を反射するコレステリック液晶を含むインキＧを印刷すると共に、これに並べて、ブルーの光を反射するコレステリック液晶を含むインキＢを印刷することによって、第１領域を形成することができる。また、シアンの通常インキＣを印刷することにより第２領域を形成することができる（図７参照）。
【００２８】
また、無彩色の黒色の画素は、色彩の変化しない第２領域のみから構成することができる。すなわち、図８（ａ）に示すように、イエローＹ、マゼンタＭ、シアンＣの三色の通常インキを並べて印刷することにより、これらの色彩を重畳して黒色を表現することができる（図８（ｂ）参照）。また、これらイエローＹ、マゼンタＭ、シアンＣの三色の通常インキを積層して印刷することにより、黒色を表現することも可能である。なお、この黒色画素は、見る角度を変化させても色彩の変化を生じない。すなわち、角度によらず黒色に見える。
【００２９】
また、無彩色の黒色の画素は、見る角度によって色彩の変化する第１領域のみから構成することができる。すなわち、図９に示すように、光吸収層Ａの上に、レッドＲ、グリーンＧ、ブルーＢの三色のコレステリック液晶入りインキを並べ印刷することにより、これらの色彩を重畳して白色を表現することができる。
【００３０】
このカラー画像は、オフセット印刷などの印刷法によって形成することもできるが、例えば、身分証明カードの顔写真などの場合には、カードごとにその画像が異なることが通常である。このため、転写箔を使用して、この転写箔から前記各領域ごとに転写印刷することが望ましい。
【００３１】
図１０は、前記第１領域を転写印刷する際に使用する転写箔１の説明用断面図である。すなわち、この転写箔１は、転写箔基材１０の上に、順次、剥離保護層１１、アンカー層１２、樹脂層１３、コレステリック液晶を含むインキ層１４、光吸収層１５、接着層１６を形成して構成したものであり、画像表示体の基体、例えば、カード基体に重ねて背面からサーマルヘッドで加熱することにより、加熱部位が転写箔基材１０と剥離保護層１１との間で剥離してカード基体に転写され、こうして第１領域を形成することができる。これら各層の材質としては、例えば、転写箔基材１０としては二軸延伸ポリエステルフィルム、剥離保護層１１としては新第一塩ビ社製ポリ塩化ビニル（商品名：ゼスト１０００）、アンカー層１２としては、東洋紡社製ポリエステルウレタン系アンカーコート剤（商品名：ＵＲ２３００）、樹脂層１３としてはロリック社製ＬＰＰ（商品名：ＲＯＰ２０７）、コレステリック液晶を含むインキ層１４としてはＢＡＳＦ社製コレステリック液晶を含有するインキ、光吸収層１５としては日進化学社製塩化ビニル−酢酸ビニル共重合樹脂（商品名：ソルバインＡ）、接着層１６としては東洋紡社製ポリエステル系接着剤（商品名：バイロン２４５）を使用できる。
【００３２】
また、図１１は、前記第２領域を転写印刷する際に使用する転写箔２の説明用断面図である。すなわち、この転写箔２は、転写箔基材２０の上に、順次、剥離保護層２１、着色インキ層２２、接着層２３を形成して構成したものであり、画像表示体の基体、例えば、カード基体に重ねて背面からサーマルヘッドで加熱することにより、加熱部位が転写箔基材２０と剥離保護層２１との間で剥離してカード基体に転写され、こうして第２領域を形成することができる。
【図１】
2016107487.tif 000003
【図２】
2016107487.tif 000004
【図３】
2016107487.tif 000005
【図４】
2016107487.tif 000006
【図５】
2016107487.tif 000007
【図６】
2016107487.tif 000008
【図７】
2016107487.tif 000009
【図８】
2016107487.tif 000010
【図９】
2016107487.tif 000011
【図１０】
2016107487.tif 000012
【図１１】
2016107487.tif 000013